(57)【要約】本願では発熱体組立体、アイロンヘッド及びアイロン機器を公開する。前記発熱体組立体は、いくつかの蒸気噴出孔が開けられているアイロンパネルと、対向する第一表面と第二表面を含む発熱体とを含み、前記第一表面と前記アイロンパネルとが組み合わされて下気化チャンバーを形成しており、前記下気化チャンバーと前記蒸気噴出孔とが連通しており、前記発熱体には前記第一表面と第二表面を貫通する排気口が開けられており、前記排気口は前記下気化チャンバーと連通しており、前記第一表面または前記アイロンパネルには少なくとも一つの熱伝導体が凸設されており、前記第一表面は前記下気化チャンバー内で前記熱伝導体を介して前記アイロンパネルと当接する。【選択図】図５
2021519657.tif 000002
【特許請求の範囲】
【請求項１】
アイロンヘッドに用いられる発熱体組立体であって、
いくつかの蒸気噴出孔が開けられているアイロンパネルと、
対向する第一表面と第二表面を含む発熱体とを含み、
前記第一表面と前記アイロンパネルとが組み合わされて下気化チャンバーを形成しており、前記下気化チャンバーと前記蒸気噴出孔とが連通しており、前記発熱体には前記第一表面と第二表面を貫通する排気口が開けられており、前記排気口は前記下気化チャンバーと連通しており、
前記第一表面または前記アイロンパネルには少なくとも一つの熱伝導体が凸設されており、前記第一表面は前記下気化チャンバー内で前記熱伝導体を介して前記アイロンパネルと当接する発熱体組立体。
【請求項２】
前記アイロンパネルには第一蒸気溝が設けられ、前記発熱体が前記第一蒸気溝に被せられて前記下気化チャンバーを形成し、前記第一蒸気溝の開口端には前記熱伝導体が凸設されており、前記第一表面は前記熱伝導体に当接している請求項１に記載の発熱体組立体。
【請求項３】
前記第一表面と前記第一蒸気溝の溝底壁との間の間隔Ｈは２ｍｍより大きい請求項２に記載の発熱体組立体。
【請求項４】
前記発熱体組立体はさらに気化室蓋を含み、前記発熱体の第二表面には前記排気口と連通する第二蒸気溝が開けられており、前記気化室蓋が前記第二蒸気溝に被せられて上気化チャンバーを形成し、前記気化室蓋には上気化チャンバーと連通する吸気口が開けられている請求項２に記載の発熱体組立体。
【請求項５】
前記発熱体は発熱管を含み、前記発熱管は前記第二蒸気溝の溝底壁の中部に設けられて、且つ第一開口を有する一つの吸気溝を取り囲み、前記吸気溝は前記吸気口と連通している請求項４に記載の発熱体組立体。
【請求項６】
前記第二表面には、前記発熱管と前記第二蒸気溝の側壁との間に設けられた流れ制限通路を備え、前記流れ制限通路は、前記吸気溝の第一開口と前記排気口とを連通させる請求項５に記載の発熱体組立体。
【請求項７】
前記発熱体の厚さ方向において、前記吸気溝の溝底壁は、前記発熱管の表面よりも高い請求項５に記載の発熱体組立体。
【請求項８】
さらに、前記第一開口に設けられたサーモスタットを含む請求項５に記載の発熱体組立体。
【請求項９】
前記第二蒸気溝の溝底壁にはいくつかの気化凸点が凸設され、前記気化凸点は前記発熱管と前記第二蒸気溝の側壁との間に分布している請求項５に記載の発熱体組立体。
【請求項１０】
さらに第一シールリングを備えており、前記アイロンパネルには、前記第一蒸気溝の外周壁を囲むように第一係着溝が設けられ、前記第一シールリングは前記第一係着溝に取り付けられ、前記第一表面には第一囲い縁部が凸設され、前記第一囲い縁部は前記第一係着溝内にはめ込まれ、且つ前記第一シールリングを押圧する請求項２から９の何れか一項に記載の発熱体組立体。
【請求項１１】
さらに第二シールリングを備え、前記第二表面には、前記第二蒸気溝の外周壁を囲むように第二係着溝が設けられ、前記第二シールリングは前記第二係着溝に取り付けられ、前記気化室蓋には第二囲い縁部が凸設され、前記第二囲い縁部は前記第二係着溝内にはめ込まれ、且つ前記第二シールリングを押圧する請求項４から９の何れか一項に記載の発熱体組立体。
【請求項１２】
アイロンヘッドハンドル、発熱体組立体及び断熱ジャケットを含むアイロンヘッドであって、
前記発熱体組立体は、
いくつかの蒸気噴出孔が開けられているアイロンパネルと、
対向する第一表面と第二表面を含む発熱体とを含み、
前記第一表面と前記アイロンパネルとが組み合わされて下気化チャンバーを形成しており、前記下気化チャンバーと前記蒸気噴出孔とが連通しており、前記発熱体には前記第一表面と第二表面を貫通する排気口が開けられており、前記排気口は前記下気化チャンバーと連通しており、
前記第一表面または前記アイロンパネルには少なくとも一つの熱伝導体が凸設されており、前記第一表面は前記下気化チャンバー内で前記熱伝導体を介して前記アイロンパネルと当接し、
前記アイロンヘッドハンドルには収容チャンバーが形成され、前記収容チャンバーは一つの第二開口を有し、前記アイロンパネルは前記第二開口に被せられ、前記発熱体と前記断熱ジャケットは前記収容チャンバーに収容され、前記断熱ジャケットは前記発熱体を覆うアイロンヘッド。
【請求項１３】
機体と、蒸気管と、アイロンヘッドとを備え、前記機体には蒸気発生装置が設けられ、前記蒸気管の両端は前記蒸気発生装置と前記アイロンヘッドとにそれぞれ接続されるアイロン機器であって、
前記アイロンヘッドはアイロンヘッドハンドル、発熱体組立体及び断熱ジャケットを含み、
前記発熱体組立体は、
いくつかの蒸気噴出孔が開けられているアイロンパネルと、
対向する第一表面と第二表面を含む発熱体とを含み、
前記第一表面と前記アイロンパネルとが組み合わされて下気化チャンバーを形成しており、前記下気化チャンバーと前記蒸気噴出孔とが連通しており、前記発熱体には前記第一表面と第二表面を貫通する排気口が開けられており、前記排気口は前記下気化チャンバーと連通しており、
前記第一表面または前記アイロンパネルには少なくとも一つの熱伝導体が凸設されており、前記第一表面は前記下気化チャンバー内で前記熱伝導体を介して前記アイロンパネルと当接し、
前記アイロンヘッドハンドルには収容チャンバーが形成され、前記収容チャンバーは一つの第二開口を有し、前記アイロンパネルは前記第二開口に被せられ、前記発熱体と前記断熱ジャケットは前記収容チャンバーに収容され、前記断熱ジャケットは前記発熱体を覆うアイロン機器。
【発明の詳細な説明】
【技術分野】
【０００１】
本願は中国専利局に２０１８年５月３１日に提出された、出願番号２０１８１０５５４９７３．８および２０１８２０８４１４６８．７、発明名称「発熱体組立体、アイロンヘッド及びアイロン機器」である中国特許出願の優先権を主張し、その全ての内容を引用により本願に組み入れる。
【０００２】
本発明は家電の分野に関し、特に発熱体組立体、当該発熱体組立体を用いたアイロンヘッド、及び当該アイロンヘッドを用いたアイロン機器に関する。
【背景技術】
【０００３】
従来のアイロンヘッドでは、噴気孔から凝縮水が流れたり、蒸気温度が低すぎる等の問題を解決するために、アイロンヘッド内に発熱装置を加えたことにより、蒸気導管を介してアイロンヘッドに達した水蒸気が再び加熱される。しかしながら、従来の加熱装置を備えたアイロンヘッドから噴出される蒸気の温度は、低すぎてアイロンかけの効果を低下させることもあれば、高すぎて衣類を傷めてしまうこともある。
【発明の概要】
【発明が解決しようとする課題】
【０００４】
本願の主な目的は、アイロンパネルの温度を有効に制御でき、アイロンかけ効果のいい発熱体組立体を提案することである。
【課題を解決するための手段】
【０００５】
上記目的を実現するために、本願が提案する発熱体組立体はアイロンヘッドに設置され、前記発熱体組立体は、いくつかの蒸気噴出孔が開けられているアイロンパネルと、対向する第一表面と第二表面を含む発熱体とを含み、前記第一表面と前記アイロンパネルとが組み合わされて下気化チャンバーを形成しており、前記下気化チャンバーと前記蒸気噴出孔とが連通しており、前記発熱体には前記第一表面と第二表面を貫通する排気口が開けられており、前記排気口は前記下気化チャンバーと連通しており、前記第一表面または前記アイロンパネルには少なくとも一つの熱伝導体が凸設されており、前記第一表面は前記下気化チャンバー内で前記熱伝導体を介して前記アイロンパネルと当接する。
好ましくは、前記アイロンパネルには第一蒸気溝が設けられ、前記発熱体は前記第一蒸気溝に被せられて前記下気化チャンバーを形成し、前記第一蒸気溝の開口端には前記熱伝導体が凸設されており、前記第一表面は前記熱伝導体に当接している。
【０００６】
好ましくは、前記第一表面と前記第一蒸気溝の溝底壁との間の間隔は２ｍｍより大きい。
【０００７】
好ましくは、さらに気化室蓋を含み、前記発熱体の第二表面には前記排気口と連通する第二蒸気溝が開けられており、前記気化室蓋は前記第二蒸気溝に被せられて上気化チャンバーを形成し、前記気化室蓋には上気化チャンバーと連通する吸気口が開けられている。
【０００８】
好ましくは、前記発熱体は発熱管を含み、前記発熱管は前記第二蒸気溝の溝底壁の中部に設けられて、且つ第一開口を有する一つの吸気溝を取り囲み、前記吸気溝は前記吸気口と連通している。
【０００９】
好ましくは、前記第二表面には、前記発熱管と前記第二蒸気溝の側壁との間に設けられた流れ制限通路を備え、前記流れ制限通路は、前記吸気溝の第一開口と前記排気口とを連通させる。
【００１０】
好ましくは、前記発熱体の厚さ方向において、前記吸気溝の溝底壁は、前記発熱管の表面よりも高い。
【００１１】
好ましくは、さらに、前記第一開口に設けられたサーモスタットを含む。
【００１２】
好ましくは、前記第二蒸気溝の溝底壁にはいくつかの気化凸点が凸設され、前記気化凸点は前記発熱管と前記第二蒸気溝の側壁との間に分布している。
【００１３】
好ましくは、さらに、第一シールリングを備えており、前記アイロンパネルには、前記第一蒸気溝の外周壁を囲むように第一係着溝が設けられ、前記第一シールリングは前記第一係着溝に取り付けられ、前記第一表面には第一囲い縁部が凸設され、前記第一囲い縁部は前記第一係着溝内にはめ込まれ、且つ前記第一シールリングを押圧する。
【００１４】
好ましくは、さらに第二シールリングを備え、前記第二表面には、前記第二蒸気溝の外周壁を囲むように第二係着溝が設けられ、前記第二シールリングは前記第二係着溝に取り付けられ、前記気化室蓋には第二囲い縁部が凸設され、前記第二囲い縁部は前記第二係着溝内にはめ込まれ、且つ前記第二シールリングを押圧する。
【００１５】
本願ではさらに、収容チャンバーが形成されたアイロンヘッドハンドルと、上述のような発熱体組立体及び断熱ジャケットとを含むアイロンヘッドを提案する。前記収容チャンバーは一つの第二開口を有し、前記アイロンパネルは前記第二開口に被せられ、前記発熱体と前記断熱ジャケットは前記収容チャンバーに収容され、前記断熱ジャケットは前記発熱体を覆う。
【００１６】
本願は更に、機体と、蒸気管と、上述したようなアイロンヘッドとを備えるアイロン機器を提案する。前記機体には蒸気発生装置が設けられ、前記蒸気管の両端は、前記蒸気発生装置と前記アイロンヘッドとにそれぞれ接続されている。
【００１７】
本願の技術案では、発熱体組立体は発熱体とアイロンパネルを含み、発熱体とアイロンパネルが下気化チャンバーを形成し、且つ、下気化チャンバーに連通するいくつかの蒸気噴出孔を有し、外部から導入された蒸気をさらに加熱して、蒸気噴出孔から噴出して、蒸気噴出孔の蒸気温度を高めることができる。同時に、アイロンパネル又は第一表面に少なくとも一つの熱伝導体が凸設され、発熱体とアイロンパネルとが下気化チャンバー内で熱伝導体を介して当接する。この構成により、発熱体の熱を、熱伝導体を介してアイロンパネルに伝えることができ、アイロンパネルと発熱体との間は点接触型となるため、両者の接触面積が比較的小さくなり、温度が高くなりすぎないようにすることができる。さらに、熱伝導体の大きさ及び数の設定によってこの接触面積の大きさを調節することで、アイロンパネルの温度を効果的に制御し、アイロンかけの効果を高めることができる。
【図面の簡単な説明】
【００１８】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願のアイロンヘッドの一実施例の分解図である。
【図２】図１に示すアイロンヘッドにおける断熱ジャケットの構造模式図である。
【図３】図１に示すアイロンヘッドにおけるアイロンヘッドハンドルの構造模式図である。
【図４】図１に示すアイロンヘッドにおける発熱体組立体の構造模式図である。
【図５】図１に示すアイロンヘッドにおける発熱体組立体の断面図である。
【図６】図５に示す発熱体組立体のＡでの拡大図である。
【図７】図５に示す発熱体組立体のＢでの拡大図である。
【図８】図５に示す発熱体組立体の分解図である。
【図９】図５に示す発熱体組立体におけるアイロンパネルの構造模式図である。
【図１０】図５に示す発熱体組立体における発熱体の構造模式図である。
【発明を実施するための形態】
【００１９】
本願実施例の目的の実現、機能特徴及び長所について、図面を参照し実施例と結び付けてさらに説明する。
以下では、本願実施例における技術案を、本願実施例における図面と組み合わせ、明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２０】
本願実施例において、全ての方向性を示す指示（例えば上、下、左、右、前、後．．．）は、ある特定の姿勢（添付図面に示す）における各部品間の相対的位置関係、移動状況等を説明するためだけに用いられ、もし当該特定の姿勢が変わる場合、当該方向性指示もそれ相当に変わることは言うまでもない。
【００２１】
また、本願実施例において「第一」、「第二」等の記載は説明のために用いるだけであって、その相対的重要性を提示又は暗示、或いは提示される技術的特徴の数を暗示的に指定すると理解すべきではない。従って、「第一」、「第二」に限定されている特徴は明示的或いは暗示的にそれぞれ少なくとも一つの当該特徴が含まれていればよい。また、各実施例の技術案はお互いに組み合わせることができる。ただし、当業者が実現できることが前提となる。技術案の組み合わせに矛盾が生じるか、実現できない場合には、このような技術案の組み合わせが存在しない、且つ本願が請求する保護範囲にないと理解すべきである。
【００２２】
本願ではアイロンヘッド１００に用いられる発熱体組立体３０を提案する。
【００２３】
図４から図７を参照すると、本願実施例において、当該発熱体組立体３０は、いくつかの蒸気噴出孔３３７が開けられているアイロンパネル３３と、対向する第一表面３１１と第二表面３１５を含む発熱体３１とを含む。前記第一表面３１１と前記アイロンパネル３３とが組み合わされて下気化チャンバーを形成しており、前記下気化チャンバーと前記蒸気噴出孔３３７とが連通しており、前記発熱体３１には前記第一表面３１１と第二表面３１５を貫通する排気口３１７が開けられており、前記排気口３１７は前記下気化チャンバーと連通している。
【００２４】
前記第一表面３１１または前記アイロンパネル３３には少なくとも一つの熱伝導体３３５が凸設されており、前記第一表面３１１は前記下気化チャンバー内で前記熱伝導体３３５を介して前記アイロンパネル３３と当接する。
【００２５】
本実施例では、発熱体組立体３０は主として、アイロンヘッド１００に用いられ、発熱体３１は、アイロンヘッド１００に送られてきた蒸気を再び加熱するとともに、加熱された蒸気を噴出する蒸気噴出孔３３７を有し、これにより、アイロンかけが必要な衣類に対して処理を行う。
【００２６】
発熱体３１としては、一般的には発熱管３１９が用いられ、発熱管３１９を用いて発熱するが、勿論他の方式、例えば電気抵抗ワイヤーとしてもよい。一方、発熱体３１の排気口３１７は、発熱体３１に送られてきた蒸気を受けて、且つ下気化チャンバーに送るように配置されている。アイロンパネル３３と発熱体３１との間は取り外し可能に接続されており、スナップフィット或いはねじ接続などとすることが可能である。具体的には、前記アイロンパネル３３は、一つの囲い台（図示せず）を備え、囲い台により囲まれて第一蒸気溝３３３が形成される。前記発熱体３１が前記第一蒸気溝３３３に被せられて前記下気化チャンバーを形成し、前記第一蒸気溝３３３の開口端には、少なくとも一つの熱伝導体３３５が凸設されており、即ち、前記囲い台の内縁に熱伝導体３３５が凸設され、前記第一表面３１１は、前記熱伝導体３３５に当接している。もちろん、他の実施例では、第一表面３１１に溝が設けられ、アイロンパネル３３がそれと組み合わされて下気化チャンバーを形成する。熱伝導体３３５が第一表面３１１に凸設され、アイロンパネル３３が熱伝導体３５５に当接するようにしてもよい。
【００２７】
本願の技術案では、発熱体組立体３０は、発熱体３１とアイロンパネル３３を含み、発熱体３１とアイロンパネル３３が下気化チャンバーを形成し、且つ、下気化チャンバーに連通するいくつかの蒸気噴出孔３３７を有し、外部から導入された蒸気をさらに加熱して、蒸気噴出孔３３７から噴出して、蒸気噴出孔３３７の蒸気温度を高めることができる。同時に、アイロンパネル３３又は第一表面３１１に少なくとも一つの熱伝導体３３５が設けられ、発熱体３１が第一蒸気溝３３３に被せられると、第一表面３１１とアイロンパネル３３とが下気化チャンバー内で熱伝導体３３５を介して当接する。この構成により、発熱体３１の熱を熱伝導体３３５を介してアイロンパネル３３に伝えることができ、アイロンパネル３３と発熱体３１との間は点接触型となるため、両者の接触面積が比較的小さくなり、温度が高くなりすぎないようにすることができる。さらに、熱伝導体３３５の大きさ及び数の設定によってこの接触面積の大きさを調節することで、アイロンパネル３３の温度を効果的に制御し、アイロンかけの効果を高めることができる。なお、囲い台が囲んで第一蒸気溝３３３を形成しており、この構成により、下気化チャンバーに入った蒸気を分散させた後、各所の温度を比較的均一に保ったまま蒸気噴出孔３３７を通して噴出することができ、従ってそれぞれの蒸気噴出孔３３７の温度の一致性の良好を保証することができる。熱伝導体３３５は囲い台の内縁に凸設され、下気化チャンバー内の蒸気流に対して流れを曲がらせて案内する作用を果たして，蒸気を蒸気噴出孔３３７内に迅速に進入させることができ、且つ、熱伝導体３３５はまた、発熱体３３１から伝導された熱で蒸気流に対してさらに補償をして、蒸気温度を効果的に制御することができる。
【００２８】
図８及び図９を参照して、均一に熱伝導を行うために、第一蒸気溝３３３の開口端には、複数の熱伝導体３３５が凸設されており、複数の熱伝導体３３５は、第一蒸気溝３３３の開口端に均一に分布している。この構成により、発熱体３１の熱を熱伝導体３３５を介して均一にアイロンパネル３３に伝えることができ、これによりアイロンパネル３３の温度の均一性を保証して、局所的に温度が高くなりすぎて衣類が傷むことを避けることが可能で、アイロンかけの効果がよい。具体的には、熱伝導体３３５は、第一蒸気溝３３３の開口頂部に凸出するとともに、第一蒸気溝３３３の側壁に凸出しており、この熱伝導体３３５の構造強度を高めて、発熱体３１とアイロンパネル３３との当接をより安定させている。
【００２９】
好ましい実施例では、前記第一表面３１１と前記第一蒸気溝３３３の溝底壁との間の間隔Ｈは、２ｍｍより大きい。
【００３０】
本実施例では、複数の熱伝導体３３５の存在により、発熱体３１とアイロンパネル３３との間の距離が大きくなっており、両者の間隔Ｈの範囲を２ｍｍより大きくする。この範囲とすることにより、発熱体３１の発熱部分がアイロンパネル３３から少し離れるようにすることができ、アイロンパネル３３が発熱体３１の局所的な発熱の影響を受けて、発熱部分からの輻射だけを受けて表面温度が不均一になることを避けることで、このアイロンパネル３３のアイロンかけ効果を高めることができる。
【００３１】
引き続き図８を参照すると、発熱体組立体３０はさらに、気化室蓋３７を含み、前記発熱体３１の第二表面３１５には、前記排気口３１７と連通する第二蒸気溝３１８が開けられており、前記気化室蓋３７が前記第二蒸気溝３１８に被せられて上気化チャンバーを形成し、前記気化室蓋３７には上気化チャンバーと連通する吸気口３７１が開けられている。
【００３２】
本実施例では、気化室蓋３７には、外部と連通して蒸気を導入するように配置されている吸気口３７１が開けられている。気化室蓋３７が発熱体３１と組み合わされて一つの上気化チャンバーを形成し、この上気化チャンバー内は導入された蒸気を再び加熱して、且つ排気口３１７を介して下気化チャンバー内に送り、下気化チャンバー内で均一に分布させて、最終的には蒸気噴出孔３３７から噴出するように構成されている。気化室蓋３７と、発熱体３１と、アイロンパネル３３とはねじ接続されている。具体的には、アイロンパネル３３にはいくつかの第一接続柱３３２が設けられ、第一接続柱３３２には第一貫通孔３３２１が開けられ、気化室蓋３７には第一貫通孔３３２１に対応する第二貫通孔３７５が開けられ、発熱体３１はアイロンパネル３３に被せられ、気化室蓋３７は発熱体３１に被せられて設置され、ねじ棒を第一貫通孔３３２１と第二貫通孔３７５に通してロックすることで、三者を安定して固定することができる。
【００３３】
図１０を参照すると、前記発熱体３１は発熱管３１９を含み、前記発熱管３１９は前記第二蒸気溝３１８の溝底壁の中部に設けられて、且つ第一開口３１５２を有する一つの吸気溝３１５１を取り囲み、前記吸気溝３１５１は、前記吸気口３７１と連通している。
【００３４】
本実施例では、発熱管３１９は、第二蒸気溝３１８の溝底壁の中部に設けられており、蒸気が吸気口３７１を通って第二蒸気溝３１８内に入った場合、速やかに加熱されることが可能であり、この比較的高い蒸気熱は、発熱管３１９が囲んで構成した吸気溝３１５１内に集まり、発熱管３１９と第二蒸気溝３１８の溝側壁との間はやや低い蒸気熱となっている。このような冷で熱を包む構造により、熱エネルギーの縁部への放散を低減することができ、縁部下側からアイロンパネル３３への熱伝達を低減することもできる。蒸気は加熱されてから、吸気溝３１５１から吸気口３７１へ流れ、且つ吸気口３７１を通って下気化チャンバー内に入る。同時に、発熱管３１９の表面が第二蒸気溝３１８の底壁よりも高いので、発熱管３１９と水蒸気との接触面積をより大きくすることができ、発熱管３１９で発生した熱が速やかに水蒸気に奪われ、気化がより十分になる。
【００３５】
蒸気の流通を容易にするために、前記第二表面３１５には、前記発熱管３１９と前記第二蒸気溝３１８の側壁との間に設けられた流れ制限通路を備え、前記流れ制限通路は、前記吸気溝３１５１の第一開口３１５２と前記排気口３１７とを連通させる。
【００３６】
本実施例では、流れ制限通路はいくつかの流れ制限板３１５３を含み、その中の一部の流れ制限板３１５３が吸気溝３１５１の溝側壁に囲むように設けられ、そして第一開口３１５２の両端には二つの流れ制限板３１５３が接続され、この二つの流れ制限板３１５３は、発熱管３１９に斜めに挿入され、且つ第二蒸気溝３１８の側壁との間に隙間を残して、蒸気がこの軌跡に沿って流れるのを容易にする。さらに二つの流れ制限板３１５３は、第二蒸気溝３１８の溝側壁から発熱管３１９の方向へ向かって延び、且つ発熱管３１９の表面に沿って凸設されている。この流れ制限板３１５３は、発熱管３１９の外面よりも高い高さを有しており、これにより、蒸気がこれらの流れ制限板３１５３により構成された流れ制限流路に沿って曲がって流れ、速く下気化チャンバー内へ流れることが保障され、蒸気の円滑な噴射を完成させる。
【００３７】
より良好な気化効果を達成するために、下気化チャンバー内には、いくつかの気化凸点３１５５が設けられ、複数の気化凸点３１５５は、前記第二蒸気溝３１８の溝底壁に凸設され、前記気化凸点３１５５は、前記発熱管３１９と前記第二蒸気溝３１８の側壁との間に分布している。
【００３８】
本実施例では、気化凸点３１５５の形状としては、円球状であってもよく、立方体であってもよい。複数の気化凸点３１５５の設置により、蒸気の水滴を散らし、蒸気の気化を保証することにより、アイロンパネル３３からの水滴の噴射を防止して、アイロンかけ効果をさらに強化することができる。好ましくは、複数の気化凸点３１５５がアレイ状に均一に配置されることで、下気化チャンバー内の蒸気の均一性が保証され、気化の効果がより良好になる。
【００３９】
前記発熱体３１の厚さ方向において、前記吸気溝３１５１の溝底壁は、前記発熱管３１９の表面よりも高い。本実施例では、吸気溝３１５１の溝底壁には平行に配列された複数の凸板が設けられており、この構造により、吸気溝３１５１の溝底壁が第二蒸気溝３１８の溝底壁に対して比較的高くなり、それ自体の厚さが厚くなっている。これにより、多量の熱エネルギーを蓄えることができ、アイロンパネル３３の蒸気温度を高めて衣類のアイロンかけ効果を保証することができる。
【００４０】
さらに、温度の厳密な制御を容易にするために、当該発熱体組立体３０はさらに、前記第一開口３１５２に設けられたサーモスタット（図示せず）を含む。
【００４１】
本実施例では、サーモスタットの設置により、下気化チャンバーと上気化チャンバー内の温度を厳格に測定・制御して、温度が高すぎる場合には電源をオフにし、温度が低い場合にはオンにすることで、蒸気噴出孔３３７から噴出される蒸気の温度を確保できる。同時に、サーモスタットを第一開口３１５２に、すなわち発熱管３１９が設置されていない一端に設置する。吸気溝３１５１内に大量の熱エネルギーを蓄えることができ、そして冷で熱を包む蒸気流通構造を組み合わせると、熱エネルギーのサーモスタットへの伝達を遅らせて、サーモスタットの温度が容易に上昇又は低下しないようにして、サーモスタットの電流遮断の間隔を延長させて、熱エネルギーの持続的な利用を保証して、かつ凝縮水の発生を避けることができる。
【００４２】
図５から図７を参照すると、好適な実施例では、下気化チャンバーと上気化チャンバー内の密封効果を確保するために、発熱体組立体３０はさらに、第一シールリング３１３と第二シールリング３１６とを備えており、前記アイロンパネル３３には、前記第一蒸気溝３３３の外周壁を囲むように第一係着溝３３９が設けられ、前記第一シールリング３１３は前記第一係着溝３３９に取り付けられる。前記第一表面３１１には第一囲い縁部３１１１が凸設され、前記第一囲い縁部３１１１は前記第一係着溝３３９内にはめ込まれ、且つ前記第一シールリング３１３を押圧する。前記第二表面３１５には、前記第二蒸気溝３１８の外周壁を囲むように第二係着溝３１５７が設けられ、前記第二シールリング３１６は、前記第二係着溝３１５７に取り付けられる。前記気化室蓋３７には第二囲い縁部３７３が凸設され、前記第二囲い縁部３７３は前記第二係着溝３１５７内にはめ込まれ、且つ前記第二シールリング３１６を押圧する。
【００４３】
本実施例では、気化室蓋３７と発熱体３１との間に第二シールリング３１６を設け、発熱体３１とアイロンパネル３３との間に第一シールリング３１３を設けることで、両者間の密封効果を高めることができ、これにより、蒸気の漏れを防止して蒸気の温度を保証でき、さらにはアイロンかけの効果をより一層高めることができる。
【００４４】
図１から図４を参照すると、本願ではさらに、収容チャンバー１０ａが形成されたアイロンヘッドハンドル１０と、上述のような発熱体組立体３０と、断熱ジャケット５０とを含むアイロンヘッド１００を提案する。前記収容チャンバー１０ａは一つの第二開口を有し、前記アイロンパネル３３は前記第二開口に被せられ、前記発熱体３１と前記断熱ジャケット５０は前記収容チャンバー１０ａに収容され、前記断熱ジャケット５０は前記発熱体３１を覆う。当該アイロンヘッド１００の発熱体組立体３０は上記全ての実施例の全ての技術案を採用したので、少なくとも上記実施例の技術案がもたらす全ての有益効果を有し、ここでは逐一贅言しない。
【００４５】
本実施例では、アイロンヘッド１００は、アイロン機器、例えば、衣類スチーマーの中に配置され、軽くて便利なアイロンかけの手段とされている。もちろん、他の実施例では、当該アイロンヘッド１００に貯水装置などの他の構成を追加して、独立したアイロン機器として直接使用するように構成することもできるが、これに対して限定はしない。
【００４６】
具体的には、アイロンヘッド１００は、本体１１と本体１１から凸設されて形成された把持部１３とを備えるアイロンヘッドハンドル１０を含み、本体１１の把持部１３から離れた側には、収容チャンバー１０ａが形成されている。この収容チャンバー１０ａは、他の部品の収容を容易にするための一つの開口（図示せず）を有している。本体１１と把持部１３の材質としては、通常プラスチックであり、両者は一体成形されており、構造強度が高く、使用耐久性に優れている。把持部１３は、本体１１の両端を起点として上方に凸起して且つ一体に連なっており、全体的に接続線が滑らかで外観が美しく、かつ当該把持部１３と本体１１との間には大きな空間が予め確保されており、手で把持しやすい。本体１１の周縁には一つの通管柱１１１が設けられており、当該通管柱１１１には蒸気管を通して収容チャンバー１０ａ内に入れるのを容易にするための通管孔１１３が開けられている。この通管柱１１１の設置により蒸気管と本体１１との間の接触面積を増やし、蒸気管を比較的スムーズに通せるようにして、蒸気管が折れ曲がって蒸気の導入に影響を与えるのを避ける。
【００４７】
蒸気管の材質としては通常、プラスチックホースであり、好ましくは繊維強化管とＰＶＣプラスチックホースであり、優れた耐熱性を有する。この蒸気管は、アイロンヘッドハンドル１０の通管孔１１３を介して収容チャンバー１０ａを通ってから、発熱体３１の吸気口３７１に連通することで、蒸気を発熱体組立体３０に通して再加熱する。断熱ジャケット５０の材質としては、高温に耐える断熱性能の良好な材料であることが好ましく、例えば、シリコーン類等である。
【００４８】
アイロンパネル３３は収容チャンバー１０ａの開口に被せられて、アイロンヘッドハンドル１０と共に比較的密閉された構造を形成しており、内部からアイロンパネル３３の蒸気噴出孔３３７のみを介して蒸気の噴出を行っている。断熱ジャケット５０はアイロンパネル３３に直接接続され、断熱ジャケット５０の本体５１と囲い板５３とで一つの隔離チャンバー５０ａを形成することで、発熱体３１を完全に覆うことができ、従って、発熱体３１が発する熱を効果的に隔離できる。蒸気の温度を保てる一方で、使用者をやけどから守るために、アイロンヘッドハンドル１０が過度に高温になることを回避することもできる。
【００４９】
アイロンヘッド１００に発熱体組立体３０を覆う断熱ジャケット５０を設けることで、発熱体組立体３０をアイロンヘッドハンドル１０から効果的に隔離して、熱のアイロンヘッドハンドル１０への伝達を遮断することができる。さらに、アイロンヘッドハンドル１０の温度が高すぎて使用者をやけどさせることを回避でき、かつ、アイロンヘッドハンドル１０に熔解が発生することもなく、このアイロンヘッド１００の使用安全性を向上させることができる。なお、断熱ジャケット５０にはさらに、蒸気管を固定する係止部５７が設けられており、係止部５７により蒸気管を安定して取り付けることができ、蒸気管の脱落や外部から引っ張られることによる移動がなく、蒸気のスムーズな流通を保証して、アイロンヘッド１００の動作安定性を向上させる。
【００５０】
図１及び図２を参照すると、前記断熱ジャケット５０は、本体５１と、本体５１の周縁に沿って一方へ延びる囲い板５３と、囲い板５３の周縁に沿って折り曲げられて延びる延長板５５とを備える。前記係止部５７は、互いに接続されている押え板５７１と支持板５７３とを含み、前記支持板５７３は、前記延長板５５に凸設され、前記押え板５７１と支持板５７３とで一つの第一固定孔（図示せず）を形成し、前記蒸気管は、前記第一固定孔に係止されている。
【００５１】
本実施例では、本体５１、囲い板５３及び延長板５５は一体構造であり、一体成形プロセスを採用することができ、量産に便利であり、かつ構造強度が高く、使用耐久性に優れている。囲い板５３と本体５１とは垂直に配置され、両者により一つの隔離チャンバー５０ａを形成し、延長板５５と囲い板５３とも垂直に配置され、且つ延長板５５は囲い板５３の周縁から隔離チャンバー５０ａから離れる方向へ延びている。つまり本体５１と延長板５５の表面とは平行に設けられており、この構造は全体として階段状に設けられており、断熱ジャケット５０の構造強度を補強することができる。また、囲い板５３と延長板５５との接続位置には、囲い板５３と延長板５５の表面に対して同時に垂直な複数の強化リブ５９が設けられており、囲い板５３と延長板５５の変形を防止して、断熱ジャケット５０の構造安定性をさらに向上させることが可能である。
【００５２】
係止部５７は、互いに接続された押え板５７１及び支持板５７３を含み、この接続方式は、蒸気管の第一固定孔内からの取り出し又は取り付けを容易にするために、取り外し可能な接続とすることができる。具体的には、延長板５５には支持台５５５が凸設され、この支持板５７３は支持台５５５の頂端に立設され、且つその頂部には第一支え孔５７３１が凹設されて形成されている。押え板５７１は圧設部５７１１と圧設部５７１１の両端に接続された接続部５７１３とを備えており、蒸気管を第一支え孔５７３１内に穿設し、そして圧設部５７１１を支持板５７３に押付けて、第一支え孔５７３１とこの圧設部５７１１とで囲むことで第一固定孔を形成すると、蒸気管を安定して固定することができる。また、支持台５５５の両側には接続ロッド５５７が凸設され、接続ロッド５５７には第一ねじ孔５５７１、接続部５７１３には第一ねじ孔５５７１に対応する第二ねじ孔５７１５が開けられている。押え板５７１と接続ロッド５５７は、ロック部材と第一ねじ孔５５７１及び第二ねじ孔５７１５との締結結合によって接続され、当該接続構造の安定性はよく、それによって蒸気管の固定と取り付けを実現して、便利且つ迅速である。
【００５３】
蒸気管が第一固定孔内に係止された後、蒸気管の経路を容易に整理するために、本体５１にはさらに第一位置制限溝５１３が設けられ、前記蒸気管の位置は前記第一位置制限溝５１３内に制限される。具体的には、本体５１には対向する二つの係着板５１８が凸設されており、一方の係着板５１８の頂端は他方の係着板５１８側へ延びてトップ板５１８１を形成し、このトップ板５１８１及び二つの係着板５１８は第一位置制限溝５１３を形成しており、蒸気管の位置がこの第一位置制限溝５１３内に規制される。隙間を通して蒸気管を第一位置制限溝５１３内に押し込むのを容易にするために、トップ板５１８１と対向する係着板５１８との間には隙間が予め確保されている。この構成の設置によれば、蒸気管の上下左右方向を全て規制することができるとともに、他の構成に影響されることなくスムーズな蒸気を保証することができる。
【００５４】
引き続き図１及び図２を参照すると、前記本体５１には前記蒸気管を通す通し穴５１１が開けられており、前記蒸気管を第一固定孔に係止してから、前記通し穴５１１において前記発熱体組立体３０の吸気口３７１と接続する。
【００５５】
本実施例では、第一位置制限溝５１３は係止部５７と通し穴５１１との間に設けられており、蒸気管の一部分を係止部５７に係止してから、次の部分の位置を第一位置制限溝５１３内に制限し、最後の部分を通し穴５１１において発熱体組立体３０の吸気口３７１に連通させることで、発熱体組立体３０内に蒸気を通す。具体的には、発熱体組立体３０の気化室蓋３７は一つのジョイント３５を含み、蒸気管の端部がこのジョイント３５に接続されて、且つサークリップで固定接続されて、抜け止めされている。
【００５６】
勿論、アイロンヘッド１００はさらに導電線（図示せず）を備え、前記押え板５７１及び支持板５７３にはさらに第二固定孔が形成されて、前記導電線は前記第二固定孔内に係止され、前記通し穴５１１を通って前記発熱体組立体３０と電気的に接続される。
【００５７】
本実施例では、支持板５７３の頂端にはさらに第二支え孔５７３３が凹設されており、この第二支え孔５７３３は押え板５７１と第二固定孔を形成している。導電線をこの第二固定孔内に係止して、導電線の安定した取り付けを実現できる。導電線は、固定された後、その末端がさらに通し穴５１１を介して発熱体組立体３０と電気的に接続される。具体的には、発熱体組立体３０における発熱装置の活線端、中性線端及びグラウンド線端と接続することで、発熱体組立体３０への電気エネルギーの供給を実現する。
【００５８】
導電線をさらに規制するために、前記本体５１にはさらに第二位置制限溝５１５が設けられ、第二位置制限溝５１５も係止部５７と通し穴５１１との間に設けられて、導電線の位置は前記第二位置制限溝５１５内に制限されている。
【００５９】
第二位置制限溝５１５は、係止部５７と通し穴５１１との間の導電線の長さや距離に応じて、一つ或いは複数設けることができる。本実施例では、第二位置制限溝５１５を二つ設けているが、二つの位置制限溝の構成は同一であってもよいし、異なって設けてもよく、導電線の位置制限を実現すればよい。一方の第二位置制限溝５１５の構造は第一位置制限溝５１３の構造と似ており、他方の第二位置制限溝５１５は、二つの位置制限板５１９が対向配置されて形成されている。
【００６０】
蒸気管をさらに外力による引っ張りから保護するために、前記蒸気管と前記第一固定孔とを隙間嵌めとして、前記導電線と前記第二固定孔とを締まり嵌めとする。
【００６１】
本実施例では、第一支え孔５７３１の径を第二支え孔５７３３の径よりも大きくすることで、第一固定孔を第二固定孔よりも大きくしている。押え板５７１が支持板５７３に押し付けられるように設置すると、押え板５７１が蒸気管を押し潰すことなく導電線を押さえて、これにより蒸気管と第一固定孔との隙間嵌め、導電線と第二固定孔との締まり嵌めを実現する。この構造は、蒸気のスムーズな通過を保証し、管を押し潰す現象が発生しないようにするために設けられている。また、導電線を押さえることで、アイロンヘッド１００が受ける引張力を導電線に分配することで、蒸気管を保護することもできる。
【００６２】
蒸気管と導電線とが互いに干渉しないように、前記係止部５７と通し穴５１１は前記本体５１の両端にそれぞれ位置し、前記第一位置制限溝５１３と第二位置制限溝５１５は前記本体５１の両側にそれぞれ位置している。
【００６３】
本実施例では、蒸気管と導電線が通管孔１１３を通ってから第一固定孔と第二固定孔内にそれぞれ固定されるのを容易にするために、係止部５７は本体５１の通管孔１１３寄りの一端に位置し、蒸気管と導電線との配置を容易にするために、通し穴５１１は本体５１の係止部５７から離れた一端に開けられている。第一位置制限溝５１３と第二位置制限溝５１５はそれぞれ本体５１の両側に位置することで、蒸気管と導電線をそれぞれ通し穴５１１内に案内しやすくするとともに、他の構造の取付に影響しないよう、蒸気管と導電線を隠すように取り付けることができる。
【００６４】
具体的には、断熱ジャケット５０とアイロンヘッドハンドル１０との接続を容易にするために、前記アイロンヘッドハンドル１０の内壁には少なくとも一つの留め具（図示せず）が設けられ、前記延長板５５又は前記囲い板５３には前記留め具に対応する留め穴５５１が設けられ、一つの留め具は一つの留め穴５５１内に係合されることで、前記アイロンヘッドハンドル１０と断熱ジャケット５０とが接続される。
【００６５】
本実施例では、留め穴５５１を延長板５５に設けているが、具体的には、留め穴５５１が複数設けられており、複数の留め穴５５１が延長板５５の周縁に沿って均一に分布しており、これにより、断熱ジャケット５０とアイロンヘッドハンドル１０との接続構造が比較的安定し、接続力が比較的均一になり、断熱ジャケット５０を変形させにくく、効果的な断熱を行うことが保証される。留め具を留め穴５５１に係合することにより、断熱ジャケット５０とアイロンヘッドハンドル１０との接続を実現でき、便利且つ迅速であり、組立効率を向上させる。もちろん、アイロンヘッドハンドル１０に留め穴５５１を開けて、断熱ジャケット５０に留め具を設けて、両者の接続を実現するようにしてもよい。
【００６６】
アイロンヘッドハンドル１０と断熱ジャケット５０との接続安定性をさらに強化するために、図１および図２を参照すると、前記本体５１には少なくとも一つの第二接続柱５１７が凸設されており、前記第二接続柱５１７には第一接続孔５１７１が開けられ、前記アイロンヘッドハンドル１０には前記第一接続孔５１７１に対応する第一取付孔（図示せず）が設けられており、前記断熱ジャケット５０と前記アイロンヘッドハンドル１０とは、ロック部材による第一取付孔と第一接続孔５１７１との締結により固定されている。
【００６７】
本実施例では、アイロンヘッドハンドル１０が比較的深い収容チャンバー１０ａを有しているため、本体５１に第二接続柱５１７を凸設して、第二接続柱５１７に第一接続孔５１７１を開けて、ロック部材を用いて第一接続孔５１７１及び第一取付孔により固定を行うことで、ロック部材と断熱ジャケット５０及びアイロンヘッドハンドル１０との接触面積を増大させ、接続構造の強度を増大させ、それにより両者の安定した接続を実現して、意外な落下による係止接続構造の緩みを避けることができる。
【００６８】
また、前記断熱ジャケット５０には少なくとも一つの第二接続孔５５３が設けられ、前記アイロンパネル３３には前記第二接続孔５５３に対応する第二取付孔３３１が設けられ、前記断熱ジャケット５０と前記アイロンパネル３３とはロック部材と第二接続孔５５３および第二取付孔３３１との接続によって固定されている。
【００６９】
本実施例では、断熱ジャケット５０のアイロンパネル３３への安定した接続を実現するために、断熱ジャケット５０の本体５１には一つの第二接続孔５５３が開けられているとともに、延長板５５には二つの第二接続孔５５３が開けられている。三つの第二接続孔５５３とも本体５１の周縁に均等に分布しており、それに対応するように、アイロンパネル３３には三つの第二取付孔３３１が開けられている。ロック部材を用いて第二接続孔５５３と第二取付孔３３１を通して固定接続して、断熱ジャケット５０とアイロンパネル３３との構造安定性を確保することで、放熱をより低減することができるとともに、蒸気管と導電線の構造安定性を保証できる。
【００７０】
本願は更に、機体（図示せず）と上述したようなアイロンヘッド１００とを備えるアイロン機器（図示せず）を提案する。前記機体には蒸気発生装置（図示せず）が設けられ、前記蒸気管の両端は、前記蒸気発生装置と前記アイロンヘッド１００とにそれぞれ接続されている。当該アイロンヘッド１００の具体的な構造については、上記実施例を参照されたい。本アイロン機器は上記全ての実施の全ての技術案を採用したので、少なくとも上記実施例の技術案がもたらす全ての有益効果を有し、ここでは逐一贅言しない。
【００７１】
このアイロン装置では、機体はさらに、蒸気発生装置に電気的に接続された制御装置（図示せず）を備えることで、蒸気量の発生および温度の高さを制御している。アイロンヘッド１００のアイロンヘッドハンドル１０には、制御装置に接続された制御ボタンを設けることができ、これにより使用者が蒸気温度の高さや蒸気量の大きさを選択や制御できるようにして、衣類にアイロンをかけやすくする。
【００７２】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許請求の保護範囲に含まれる。
【符号の説明】
【００７３】
１００  アイロンヘッド
１０  アイロンヘッドハンドル
１０ａ  取付チャンバー
１１  本体
１１１  通管柱
１１３  通管孔
１３  把持部
３０  発熱体組立体
３１  発熱体
３１１  第一表面
３１１１  第一囲い縁部
３１３  第一シールリング
３１５  第二表面
３１５１  吸気溝
３１５２  第一開口
３１５３  流れ制限板
３１５５  気化凸点
３１５７  第二係着溝
３１６  第二シールリング
３１７  排気口
３１８  第二蒸気溝
３１９  発熱管
３３  アイロンパネル
３３１  第二取付孔
３３２  第一接続柱
３３２１  第一貫通孔
３３３  第一蒸気溝
３３５  熱伝導体
３３７  蒸気噴出孔
３３９  第一係着溝
３５  ジョイント
３７  気化室蓋
３７１  吸気口
３７３  第二囲い縁部
３７５  第二貫通孔
５０  断熱ジャケット
５０ａ  隔離チャンバー
５１  本体
５１１  通し穴
５１３  第一位置制限溝
５１５  第二位置制限溝
５１７  第二接続柱
５１７１  第一接続孔
５１８  係着板
５１８１  トップ板
５１９  位置制限板
５３  囲い板
５５  延長板
５５１  留め穴
５５３  第二接続孔
５５５  支持台
５５７  接続ロッド
５５７１  第一ねじ孔
５７  係止部
５７１  押え板
５７１１  圧設部
５７１３  接続部
５７１５  第二ねじ孔
５７３  支持板
５７３１  第一支え孔
５７３３  第二支え孔
５９  強化リブ
【図１】
2021519657.tif 000003
【図２】
2021519657.tif 000004
【図３】
2021519657.tif 000005
【図４】
2021519657.tif 000006
【図５】
2021519657.tif 000007
【図６】
2021519657.tif 000008
【図７】
2021519657.tif 000009
【図８】
2021519657.tif 000010
【図９】
2021519657.tif 000011
【図１０】
2021519657.tif 000012
【国際調査報告】
2021519657.tif 000013
2021519657.tif 000014
2021519657.tif 000015
2021519657.tif 000016